(57)【要約】【課題】ビニルハウスに設けられた出入口を開閉する懸垂式引き戸装置の技術分野に属し、更に云うと、引き戸の建込み及び取り外し作業が容易な懸垂式引き戸装置を提供する。【解決手段】出入口を構成する上下辺のフレームに沿ってＣ型鋼状の戸車用レールとスライド用レールがそれぞれ設置され、引き戸の上辺に、前記戸車用レール上を転がる戸車が取り付けられ、下辺には下辺の横桟よりも下方へ突き出る突出部が少なくとも二箇所形成されており、上辺の戸車用レールのリップ部には戸車挿入孔が切り欠き形状に設けられ、下辺のスライド用レールの外側壁には引き戸の突出部を通す形状と大きさの建て込み用切り欠きが設けられていること、引き戸は、戸車を上辺の戸車用レールの戸車挿入孔へ差し込み、前記突出部を下辺のスライド用レールの建て込み用切り欠きへ差し込んで戸車用レールとスライド用レール間へ建て込まれる。【選択図】図２
0003135729.tif 000002
【実用新案登録請求の範囲】
【請求項１】
ビニルハウスに設けられた出入口を開閉する懸垂式引き戸装置であって、
前記出入口を構成する上下辺のフレームに沿ってＣ型鋼状の戸車用レールとスライド用レールがそれぞれ設置され、
引き戸の上辺に、前記戸車用レール上を転がる戸車が取り付けられ、下辺には下辺の横桟よりも下方へ突き出る突出部が少なくとも二箇所形成されており、
前記上辺の戸車用レールのリップ部に戸車挿入孔が切り欠き形状に設けられ、下辺のスライド用レールの外側壁に前記引き戸の突出部を通す形状と大きさの建て込み用切り欠きが設けられていること、
前記引き戸は、前記戸車を上辺の戸車用レールの戸車挿入孔へ入れ込んで懸垂させ、前記突出部を下辺のスライド用レールの建て込み用切り欠きからスライド用レール内へ挿入されることを特徴とする、ビニルハウスの懸垂式引き戸装置。
【請求項２】
引き戸の下辺の横桟に、下辺のスライド用レールの上を転がる車輪が取り付けられていることを特徴とする、請求項１に記載したビニルハウスの懸垂式引き戸装置。
【考案の詳細な説明】
【技術分野】
【０００１】
この考案は、ビニルハウスに設けられた出入口を開閉する懸垂式引き戸装置の技術分野に属し、更に云うと、引き戸の建込み及び取り外し作業が容易な懸垂式引き戸装置に関する。
【背景技術】
【０００２】
近年、各種野菜、果物などの促成栽培だけでなく、家庭においてガーデニングや家庭菜園等に使用される大小様々なビニルハウスが利用されている。このようなビニルハウスは、ビニルハウス内への人の出入りや植物、肥料等の搬入、搬出のための出入口が設けられたものが一般的であり、その出入口には、スライド式の引き戸装置が利用されている。上記のような引き戸装置は、引き戸を上辺のレールから戸車で吊り下げた懸垂式が主流である。その理由は、下辺のレールは環境上、泥やゴミ類で汚れやすく、また地面の上に置いて設置されるので地面の不陸によって水平レベルを出し難いし、水平度を維持し難いからである。
【考案の開示】
【考案が解決しようとする課題】
【０００３】
上記の懸垂式の引き戸装置をビニルハウスの出入口へ建込む技術は、その作業として、上辺のレールをビニルハウスの骨組へ先付けし、同レールへ装着した懸垂式の戸車へその下方から引き戸を持ち上げて結合し、前記引き戸の下端と下辺のレールの位置とを合わせて同下辺のレールをハウスの骨組へ取り付けて、引き戸を上下のレールの溝内へ配置している。
【０００４】
この場合、一時的にせよ重量のある引き戸を持ち上げたまま戸車との結合を達成する間の作業は大変な重労働であるし、その高さ位置を適切に固定設置することは容易ではない。特に家庭菜園用等で個人が使用する小型のビニルハウスにおいては、熟練した技術のない作業者が前記建込み作業を行うことになり非常にラフな設計と施工となる。従って、引き戸が上下のレール内へ適切に収まらず、同引き戸をスライドさせる際にがたついたり、強風が吹いた際には風にあおられて外れてしまうという問題点が指摘されている。
【０００５】
また、引き戸の交換やシートを貼り替える等のメンテナンスのため、同引き戸を取り外す必要がある場合、上記の技術では引き戸を上辺のレールの戸車からその都度外さなければならず非常に面倒な作業を要することとなる。
【０００６】
本考案の目的は、ビニルハウスに設けられた出入口を開閉する懸垂式引き戸装置において、引き戸の建込み及び取り外しを容易に実施でき、不用意に外れる心配のないビニルハウスの懸垂式引き戸装置を提供することにある。
【課題を解決するための手段】
【０００７】
上記した背景技術の課題を解決するための手段として、請求項１に記載した考案に係るビニルハウスの懸垂式引き戸装置は、
ビニルハウスに設けられた出入口を開閉する懸垂式引き戸装置であって、
前記出入口を構成する上下辺のフレームに沿ってＣ型鋼状の戸車用レールとスライド用レールがそれぞれ設置され、
引き戸の上辺に、前記戸車用レール上を転がる戸車が取り付けられ、下辺には下辺の横桟よりも下方へ突き出る突出部が少なくとも二箇所形成されており、
前記上辺の戸車用レールのリップ部に戸車挿入孔が切り欠き形状に設けられ、下辺のスライド用レールの外側壁に前記引き戸の突出部を通す形状と大きさの建て込み用切り欠きが設けられていること、
前記引き戸は、前記戸車を上辺の戸車用レールの戸車挿入孔へ入れ込んで懸垂させ、前記突出部を下辺のスライド用レールの建て込み用切り欠きからスライド用レール内へ挿入されることを特徴とする。
【０００８】
請求項２に記載した考案は、請求項１に記載したビニルハウスの懸垂式引き戸装置において、
引き戸の下辺の横桟に、下辺のスライド用レールの上を転がる車輪が取り付けられていることを特徴とする。
【考案の効果】
【０００９】
請求項１に記載した考案に係るビニルハウスの引き戸装置は、出入口を構成する上辺及び下辺のフレームに沿って戸車用レールとスライド用レールをそれぞれ設置し、前記引き戸の上辺に戸車を取り付け、下辺に突出部を形成し、戸車用レールには戸車挿入孔を設け、スライド用レールの外側壁には突出部を通す建て込み用切り欠きを設け、前記引き戸の戸車を戸車挿入孔へ入れ込んで懸垂させ、前記突出部を下辺のスライド用レールの切り欠きからスライド用レール内へ挿入する構成としたので、引き戸の建て込み作業が熟練した技術が無くても容易にならしめる。取り外し作業も従前の如く引き戸を上辺レールの戸車から取り外すことなく戸車挿入孔から容易に取り外せるので、引き戸の交換やシートの張り替え等のメンテナンス作業を容易にし積極的に行える。また、突出部は上下辺のスライド用レール間に収まる構成なので、引き戸が風等の外力で外れる心配が軽減される。
【００１０】
請求項２に記載した考案は、引き戸の下辺の横桟に、下辺のスライド用レールの上を転がる車輪を取り付けたので、上辺の戸車用レールが経年変化により垂れ下がってきた際に、前記車輪が下辺のスライド用レールのリップ部に接し、前記スライド用レールの更なる変形を防止すると共に、引き戸の左右のスライドのスムーズさを保持できる。
【考案を実施するための最良の形態】
【００１１】
本考案は、ビニルハウスに設けられた出入口を開閉する懸垂式引き戸装置である。
出入口Ａを構成する上辺及び下辺のフレーム２１、２２に沿ってＣ型鋼状の戸車用レール３、４がそれぞれ設置され、
引き戸６の上辺に、前記戸車用レール３上を転がる戸車７が取り付けられ、下辺には下辺の横桟６１よりも下方へ突き出る突出部６０ａが少なくとも二箇所形成されており、
前記上辺の戸車用レール３のリップ部３ａに戸車挿入孔３０が切り欠き形状に設けられ、下辺のスライド用レール４の外側壁に引き戸６の突出部６０ａを通す形状と大きさの建て込み用切り欠き４０が設けられていること、
前記引き戸６は、前記戸車７を上辺の戸車用レール３の戸車挿入孔３０へ入れ込んで懸垂させ、前記突出部６０ａを下辺のスライド用レール４の建て込み用切り欠き４０からスライド用レール４内へ挿入される。
【実施例１】
【００１２】
本考案に係るビニルハウスの引き戸装置を、図面に示した実施例に基づいて説明する。
図１は、家庭菜園等に使用される小型のビニルハウス１に実施された引き戸装置の実施例を示している。図示したビニルハウス１は、骨組２として溝形状のアルミ製のフレーム材を図示を省略した連結金具等により接続し、所謂片流れ屋根式で出入口Ａが片開き式として組み立て、組み上げた骨組２の上から出入口Ａを除いてビニルシート８を被覆し、締結具（シート止め線）を用いて定着し形成されるものである。
本考案は、図示したように片開きの引き戸のみならず両開きや引き違い戸構造にも同様に実施できる。
【００１３】
上記ビニルハウス１の懸垂式引き戸装置は、図２、図３に示すように、前記出入口Ａを構成する上辺フレーム２１及び下辺のフレーム２２に沿って、上辺の戸車用レール３及び下辺のスライド用レール４がそれぞれ設置される。前記戸車用レール３とスライド用レール４はＣ型鋼状とされている。
この上辺の戸車用レール３は、その溝部をハウスの内側へ向け、図３に示すように溝部を外側（正面）に向けて取り付けた上辺のフレーム２１の背面（内側面）に沿わせ、タップビスＢ１で締結して同フレーム２１と接合される。
【００１４】
前記スライド用レール４は、溝部を上へ向け、その溝部を外側（正面）に向けて取り付けられた上記下辺のフレーム２２の背面（内側面）に沿って配置し、タップビスＢ２により同フレーム２２と接合される。勿論、接合方法は上記タップビスに限らず金具などビニルハウスの接合に使用される接合金物も実施できる。
【００１５】
次に、上記のように出入口Ａの上下辺のフレーム２１、２２へ設置された上下辺の戸車用レール３とスライド用レール４間に建込まれる引き戸６について説明する。前記引き戸６は、上述した溝形状のフレーム材を縦桟６０と横桟６１とを組み合わせ、その片面側にビニルシートを被覆して形成されている。
【００１６】
この引き戸６の上辺には、前記戸車用レール３上を転がる戸車７が取り付けられている。前記戸車７と引き戸６とは、図３に示すように、断面形状がＬ字のプレート７０を介して取り付けられており、前記戸車７の中心部を貫くボルト７ａとナット７ｂで前記プレート７０の上部が挟み込まれ、Ｌ字の水平部は引き戸６の上辺を成す横枠６１の上面とボルトＢ３接合して固定される。
【００１７】
また、引き戸６の下辺には同下辺の横桟６１よりも下方へ突き出る突出部６０ａ、６０ａが設けられている。具体的に突出部６０ａは、縦桟６０の下端を下辺の横桟６１よりも下方へ突き出るように組み合わせて形成している。
【００１８】
上記の構成とされた引き戸６の戸車７と突出部６０ａに対応して、前記上辺の戸車用レール３のリップ部３ａには、前記戸車７を嵌め入れる戸車挿入孔３０が切り欠き形状に設けられ、下辺のスライド用レール４の外側壁には同突出部６０ａを通す形状と大きさの建て込み用切り欠き４０、４０が設けられている。前記戸車挿入孔３０は、前記戸車用レール３のリップ部３ａの所定箇所を、半円弧形状に切り欠いて形成されている（図２参照）。
前記戸車７と戸車挿入孔３０は、図示例では２箇所設けているが、戸車７を上辺の中央部に１箇所設け、戸車挿入孔３０も１箇所のみ設けて実施することもできる。
因みに、上下辺の戸車用レール３とスライド用レール４に設けられる戸車挿入孔３０と建て込み用切り欠き４０の配置位置は、図示例のように引き戸６の上辺に戸車７を２個、下辺に突出部６０ａを２個配置する場合においては、前記上下辺の戸車用レール３とスライド用レール４の端部からの距離Ｌ、Ｌ’をずらしておくことが好ましい。なぜなら、一方の取り合わせが一致すると、必然的に他方の取り合わせも成立して、引き戸６が不用意に外れてしまう虞があるからである。
【００１９】
上記のように構成したので、引き戸６をハウス１へ建込む際には、図２Ａ〜Ｃに示すように、作業者は先ず引き戸６本体を戸車７、７が上に来るように持ち（図２Ａ）、同引き戸６の戸車７、７と上辺の戸車用レール３の戸車挿入孔３０、３０とを一致させて入れ込んで懸垂させ、少し左右方向にずらした上で引き戸６の下辺の突出部６０ａ、６０ａを下辺のスライド用レール４の建て込み用切り欠き４０、４０から差し込んで（図２Ｂ）同スライド用レール４内へ挿入するという簡易な作業で実施でき、適宜、左右にスライドさせる（図２Ｃ）。
引き戸６を取り外す場合は、単に戸車７、７と前記戸車挿入孔３０、３０、及び突出部６０ａ、６０ａと建て込み用切り欠き４０、４０とを合わせればよい。
【００２０】
本考案は、図３の断面図が示すように、ハウス１の屋根フレーム２３は出入口Ａを形成する上辺のフレーム２１の上に載置され、同屋根フレーム２３の外側にビニルシート８が定着されるので、前記シート８と上辺のフレーム２１との間に４０ｃｍ程度の隙間Ｓ２が生じる。この隙間Ｓ２は、換気口としての役割に供することができ、換気口を新たに設ける必要が排除されるという利点がある。
【実施例２】
【００２１】
次に請求項２に記載した考案を説明する。この実施例２は図１〜３に記載した実施例１と略同様の構成であり、以下にその相違点を中心に説明する。
即ち、実施例２は図４Ａ、Ｂに示すように、引き戸６の下辺の横桟６１に、下辺のスライド用レール４のリップ部４ａの上を転がる車輪９が取り付けられている。
具体的には図５が示すように、前記車輪９は前記横枠６１の背面（内側）の下端部で且つ上記リップ部４ａとの間にクリアランスＳ３を有する高さに配置され、ボルト１０とナット１１により取り付けられている。
したがって、上辺の戸車用レール３が経年変化により垂れ下がってきた際に、前記車輪９が下辺のスライド用レール４のリップ部４ａに接し、前記上辺の戸車用レール３の更なる変形を防止すると共に、前記車輪９が前記リップ部４ａの上を転がって引き戸６の左右のスライドのスムーズさを保持できる。
図示例では車輪９を１個取り付けたが、この限りではなく、等間隔に２個取り付けて実施することもできる。
【００２２】
以上に本考案の実施例を説明したが、本考案はこうした実施例に何ら限定されるものではなく、本考案の要旨を逸脱しない範囲において、種々の形態で実施し得る。
【図面の簡単な説明】
【００２３】
【図１】本考案に係るビニルハウスの引き戸装置の概略図を示した図である。
【図２】Ａ〜Ｃは本考案に係るビニルハウスの引き戸装置の具体的な構造を示した図である。
【図３】図１の断面図である。
【図４】Ａは実施例２の考案を示した全体図である。ＢはＡの拡大斜視図である。
【図５】図４Ｂの拡大側面図である。
【符号の説明】
【００２４】
１        ビニルハウス
２        骨組
３        戸車用レール
４        スライド用レール
６        引き戸
７        戸車
８        ビニルシート
９        車輪
【図１】
0003135729.tif 000003
【図２】
0003135729.tif 000004
【図３】
0003135729.tif 000005
【図４】
0003135729.tif 000006
【図５】
0003135729.tif 000007